(57)【特許請求の範囲】
【請求項１】
第１の無線信号を受信すると自身が記憶する識別情報を第２の無線信号で送信する情報記憶媒体の前記識別情報を読み取る読取装置であって、
読取装置に接近する利用者を撮影する撮像部により撮影された画像に基づいて、前記利用者の視線の方向が予め定められた目標範囲の内側に向けられていることを検出する視線検出部と、
前記視線検出部により前記利用者の視線の方向が目標範囲の内側に向けられていることが検出された場合に、前記第１の無線信号を送信する送信部と、
前記情報記憶媒体から発信された前記第２の無線信号を受信する受信部と、
前記受信部により受信された前記第２の無線信号から前記識別情報を取得する制御部と、を備えた読取装置。
【請求項２】
前記送信部は、前記視線検出部により前記利用者の視線の方向が目標範囲の内側に向けられていることが検出された状態が、予め定められた視線検出保持時間以上継続した場合に、前記第１の無線信号を送信する請求項１に記載の読取装置。
【請求項３】
前記送信部は、前記第１の無線信号の送信を開始した後、予め定められたタグ検出保持時間以上経過してから前記第１の無線信号の送信を停止する請求項１又は請求項２に記載の読取装置。
【請求項４】
前記送信部は、前記第１の無線信号を送信した後、前記視線検出部により前記利用者の視線の方向が目標範囲の内側に向けられていることが検出されなくなってから、前記タグ検出保持時間以上経過した場合に前記第１の無線信号の送信を停止する請求項３に記載の読取装置。
【請求項５】
請求項１から請求項４のいずれか一項に記載の読取装置と、
前記読取装置の前記制御部により取得された前記識別情報と、予め記憶された認証情報との照合により、認証を行う認証装置と、
前記認証装置での認証結果に基づいて、扉の施錠及び解錠を行う電気錠と、を備えた入退室管理システム。
【請求項６】
前記目標範囲は、前記扉のノブを含む一定範囲である請求項５に記載の入退室管理システム。
【発明の詳細な説明】
【技術分野】
【０００１】
この発明は、読取装置及び入退室管理システムに関するものである。
【背景技術】
【０００２】
従来においては、利用者の出場時や入場時に処理未了の発生を抑制することを目的として、改札通路を通行しようと進行する利用者をカメラにより撮影し、この撮影した画像を用いて、利用者の視線方向を検出し、利用者の視線方向がアンテナの方向以外の場合には、非接触ＩＣカードをアンテナにかざすことを促す報知を行うゲート装置が知られている（例えば、特許文献１参照）。
【先行技術文献】
【特許文献】
【０００３】
【特許文献１】日本特開２０１１−１９２０２６号公報
【特許文献２】日本特開２００５−２７５８６９号公報
【発明の概要】
【発明が解決しようとする課題】
【０００４】
また、従来における入退室管理システムにおいては、無線信号によりＩＤタグに記載された識別情報を読み取る読取装置を備えたものが知られている。この従来の入退室管理システムにおいては、利用者が、読取装置のタグ検出範囲内に入るだけで、利用者が所持するＩＤタグの識別情報の読み取りが行われる。このため、特許文献１に記載された従来のゲート装置のような、所定の操作（非接触ＩＣカードをアンテナにかざす）を必要とすることなく、認証を行うことができる。【０００５】
しかしながら、このような従来のいわゆるハンズフリータグを用いた入退室管理システムにおいては、ＩＤタグを所持した利用者が読取装置のタグ検出範囲内に入るだけで、ＩＤタグの識別情報の読み取り、及び、読み取った識別情報による認証と扉の解錠が行われる。このため、扉を通行する意思のない利用者の所持するＩＤタグが、タグ検出範囲内に入ったために扉が解錠されてしまう可能性がある。【０００６】
また、特許文献１に記載されたゲート装置では、通行意思のない利用者の認証が行われることは稀であると言えるが、認証を行うためには非接触ＩＣカードをアンテナにかざすという所定の操作を利用者が行う必要がある。【０００７】
この発明は、このような課題を解決するためになされたもので、利用者の特別な操作を必要とすることなく識別情報を読み取ることが可能であって、かつ、認証を受ける意思のない利用者が所持するＩＤタグの識別情報を読み取ってしまうことを防止し、認証を受ける意思のある利用者が所持するＩＤタグの識別情報を読み取ることができる読取装置及びこれを備えた入退室管理システムを得るものである。
【課題を解決するための手段】
【０００８】
この発明に係る読取装置においては、第１の無線信号を受信すると自身が記憶する識別情報を第２の無線信号で送信する情報記憶媒体の前記識別情報を読み取る読取装置であって、読取装置に接近する利用者を撮影する撮像部により撮影された画像に基づいて、前記利用者の視線の方向が予め定められた目標範囲の内側に向けられていることを検出する視線検出部と、前記視線検出部により前記利用者の視線の方向が目標範囲の内側に向けられていることが検出された場合に、前記第１の無線信号を送信する送信部と、前記情報記憶媒体から発信された前記第２の無線信号を受信する受信部と、前記受信部により受信された前記第２の無線信号から前記識別情報を取得する制御部と、を備えた構成とする。
【０００９】
また、この発明に係る入退室管理システムにおいては、上述したような読取装置と、前記読取装置の前記制御部により取得された前記識別情報と、予め記憶された認証情報との照合により、認証を行う認証装置と、前記認証装置での認証結果に基づいて、扉の施錠及び解錠を行う電気錠と、を備えた構成とする。
【発明の効果】
【００１０】
この発明に係る読取装置及びこれを備えた入退室管理システムにおいては、利用者の特別な操作を必要とすることなく識別情報を読み取ることが可能であって、かつ、認証を受ける意思のない利用者が所持するＩＤタグの識別情報を読み取ってしまうことを防止し、認証を受ける意思のある利用者が所持するＩＤタグの識別情報を読み取ることができるという効果を奏する。
【図面の簡単な説明】
【００１１】
【図１】この発明の実施の形態１に係るタグリーダーを備えた入退室管理システムの全体構成を模式的に説明する図である。
【図２】この発明の実施の形態１に係るタグリーダーの構成を示すブロック図である。
【図３】この発明の実施の形態１に係るタグリーダーの動作を示すフロー図である。
【図４】この発明の実施の形態１に係るタグリーダーの正面図である。
【発明を実施するための形態】
【００１２】
この発明を添付の図面に従い説明する。各図を通じて同符号は同一部分又は相当部分を示しており、その重複説明は適宜に簡略化又は省略する。
【００１３】
実施の形態１．
図１から図４は、この発明の実施の形態１に係るもので、図１はタグリーダーを備えた入退室管理システムの全体構成を模式的に説明する図、図２はタグリーダーの構成を示すブロック図、図３はタグリーダーの動作を示すフロー図、図４はタグリーダーの正面図である。
【００１４】
図１において、居室１は、施設又は建物等の内部において仕切られた区画である。この居室１には、入退室制限が課されている。居室１における通路２と面する箇所には、通路２から居室１に出入りするための出入口１ａが設けられている。この居室１の出入口１ａには、扉３が開閉自在に設けられている。扉３の施錠及び解錠は、電気錠４により行われる。
【００１５】
居室１に出入りする利用者は、図示しないＩＤタグを所持している。このＩＤタグは、いわゆるセミアクティブ型のＲＦＩＤ（Ｒａｄｉｏ  Ｆｒｅｑｕｅｎｃｙ  ＩＤｅｎｔｉｆｉｃａｔｉｏｎ）タグである。ＩＤタグには、複数の利用者の各々を一意に識別可能な識別情報が予め記憶されている。なお、ＩＤタグは、利用者が所持し、識別情報が記憶され、無線通信により識別情報が読み取られる情報記憶媒体の一例である。
【００１６】
居室１の通路２側の壁面における出入口１ａ（扉３）の近傍には、タグリーダー５が設置されている。このタグリーダー５は、ＩＤタグに記憶された識別情報を無線通信により読み取るためのものである。ここで、図１に加えてさらに図２も参照しながら、タグリーダー５の構成について説明する。タグリーダー５は、ＬＦ電波送信部５１及びＲＦ電波受信部５２を備えている。
【００１７】
ＬＦ電波送信部５１はＬＦ電波を送信する。ＬＦとはＬｏｗ  Ｆｒｅｑｕｅｎｃｙの略であり、ＬＦ電波送信部５１から送信されるＬＦ電波は長波帯に属する。ＲＦ電波受信部５２はＲＦ電波を受信する。ＲＦとはＲａｄｉｏ  Ｆｒｅｑｕｅｎｃｙの略であり、無線周波数あるいは高周波を意味する。すなわち、ＲＦ電波受信部５２で受信されるＲＦ電波は、具体的には、例えば、ＵＨＦ（Ｕｌｔｒａ  Ｈｉｇｈ  Ｆｒｅｑｕｅｎｃｙ：極超短波）帯に属する。
【００１８】
ＩＤタグは、通常ではスリープ状態であって、無線信号の発信を停止している。ＩＤタグは、ＬＦ電波送信部５１から送信されたＬＦ電波を受信すると、このＩＤタグ自身に記憶された識別情報を含む無線信号を発信する。このＩＤタグから発信される無線信号はＲＦ電波受信部５２で受信可能である帯域の電磁波すなわち前述したＲＦ電波が用いられる。なお、ＩＤタグには、このＩＤタグから無線信号を発信するための電力を供給する電池が内蔵されている。
【００１９】
タグリーダー５は、ＩＤタグから発信されたＲＦ信号をＲＦ電波受信部５２で受信することにより、ＩＤタグに記憶された識別情報を無線通信により読み取ることができる。このタグリーダー５によりＩＤタグの識別情報を無線通信により読み取ることが可能な範囲が図１に示すタグ検出範囲６である。
【００２０】
このタグ検出範囲６は、ＩＤタグがＬＦ電波送信部５１から送信されたＬＦ電波を受信可能であり、かつ、ＩＤタグから発信されたＲＦ電波をＲＦ電波受信部５２により受信可能である範囲であると言い換えることができる。
【００２１】
利用者が携行するＩＤタグがタグ検出範囲６の内側に入っている状態で、タグリーダー５のＬＦ電波送信部５１からＬＦ電波が送信されると、ＩＤタグは、このＬＦ電波を受信する。ＬＦ電波を受信したＩＤタグは、スリープ状態から起動される。起動されたＩＤタグは、当該ＩＤタグ自身に記憶された識別情報をＲＦ電波に乗せて発信する。そして、タグリーダー５のＲＦ電波受信部５２が、ＩＤタグから発信されたＲＦ電波を受信する。
【００２２】
図２に示すように、タグリーダー５は、ＬＦ電波送信部５１及びＲＦ電波受信部５２の他に、さらに、制御部５３を備えている。ＲＦ電波受信部５２により受信されたＲＦ電波は、制御部５３において処理される。そして、この処理により、制御部５３は、当該ＲＦ電波に含まれる識別情報を取得する。
【００２３】
タグリーダー５の制御部５３により取得されたＩＤタグの識別情報は、図１に示すＩＤコントローラ７へと送られる。ＩＤコントローラ７が備える認証情報記憶部７１には、扉３を解錠して扉３を通行することを許可された利用者の識別情報が認証情報として予め記憶されている。ＩＤコントローラ７は、タグリーダー５から送られてきた識別情報と、認証情報記憶部７１に記憶された認証情報とを照合することにより、当該識別情報の利用者が扉３の通行を許可された者であるか否かの認証を行う。
【００２４】
そして、この認証の結果、識別情報と認証情報との照合に成功した場合には、認証成功となる。認証に成功した場合には、ＩＤコントローラ７は電気錠４へと解錠信号を出力する。この解錠信号を受けた電気錠４は解錠され、扉３を開けることができるようになる。こうして、認証に成功した識別情報のＩＤタグを所持する利用者は、扉３を開けて出入口１ａを通行し、居室１へと入ることができる。
【００２５】
一方、識別情報と認証情報との照合に失敗した場合には、認証失敗となる。認証に失敗した場合には、ＩＤコントローラ７から電気錠４へと解錠信号は出力されない。したがって、扉３を開けることはできず、利用者の出入口１ａの通行は阻止される。
【００２６】
このようにして、ＩＤタグがタグ検出範囲６の内側に存在する状態で、タグリーダー５のＬＦ電波送信部５１からのＬＦ電波の送信をトリガーとして、ＩＤタグの識別情報の読み取り及び読み取った識別情報に基づく認証が行われる。
【００２７】
タグリーダー５のＬＦ電波送信部５１からのＬＦ電波の送信は、制御部５３による制御の下、予め定められた条件が成立したときに行われる。このＬＦ電波送信部５１からＬＦ電波を送信する制御について次に説明する。
【００２８】
図２に示すように、タグリーダー５は、さらに、カメラ部５４及び視線検出部５５を備えている。カメラ部５４は、タグリーダー５の正面に設けられている（図４も参照）。カメラ部５４は、タグリーダー５から通路２側の状況を撮影する。カメラ部５４により撮影される範囲であるカメラ撮影範囲８は、図１に示すように、タグリーダー５の正面側へと広がっている。カメラ撮影範囲８は、タグ検出範囲６と少なくとも一部が重なるように配置される。この際、カメラ撮影範囲８とタグ検出範囲６との重合部分の面積がなるべく大きくなるようにすることが好ましい。
【００２９】
カメラ部５４は、カメラ撮影範囲８内にいる利用者を撮影する。このカメラ撮影範囲８内にいる利用者には、通路２から扉３へと接近する利用者が含まれる。視線検出部５５は、カメラ部５４により撮影された画像を解析して、カメラ撮影範囲８内の利用者の視線の方向を検出する。そして、検出した利用者の視線の方向が、予め定められた目標範囲内に向けられているか否かを判定する。
【００３０】
この目標範囲は、利用者が扉３を開くために視線を向けることが必要である、あるいは、視線を向けることが自然である目標物及びその周囲に定められる。具体的に例えば、目標範囲を扉３のノブを含む一定範囲とする。また、目標範囲の他の例としては、タグリーダー５を含む一定範囲、カメラ部５４を含む一定範囲、扉３の案内プレートを含む一定範囲等が考えられる。
【００３１】
視線検出部５５における利用者の視線の方向の検出は、まず、カメラ部５４により撮影された画像から利用者の顔を抽出し、この抽出した顔の向きを検出することにより行われる。したがって、カメラ部５４は、利用者の顔をより鮮明に撮影することができるように、利用者の平均的な顔（頭）の高さ位置に配置することが好ましい。
【００３２】
また、視線検出部５５における利用者の視線の方向の検出は、カメラ部５４により撮影された画像に利用者の眼が含まれていた方がより精度よく確実に行うことができる。このような観点から、カメラ部５４は、利用者の眼をより鮮明に撮影することができる位置に配置することが、より望ましい。
【００３３】
なお、前述したように、カメラ部５４をタグリーダー５の正面に設置する場合、すなわち、カメラ一体型のタグリーダーとする場合、カメラ部５４の好適な設置位置はすなわちタグリーダー５の好適な設置位置となる。
【００３４】
一方、カメラ部５４を、タグリーダー５とは別に設けることも可能である。この場合、カメラ部５４の設置位置とタグリーダー５の設置位置とは必ずしも同一箇所でなくともよい。すなわち、タグリーダー５とカメラ部５４とを離して配置するようにすることもできる。
【００３５】
また、カメラ部５４のカメラ撮影範囲８は固定式とすることもできるが、カメラ部５４にチルト機能及び／又はパン機能を備えることで、カメラ撮影範囲８を変化させることができるようにしてもよい。そして、カメラ撮影範囲８を可変にした場合には、カメラ撮影範囲８に応じて、視線検出部５５が視線の方向を判定する際の目標範囲を変えるようにすることもできる。
【００３６】
具体的に例えば、カメラ撮影範囲８を可変にすることで、目標範囲を、扉３のノブ部周辺と、扉３の案内プレート部周辺の２種類に設定することができる。そして、視線検出部５５は、利用者の視線の方向が、これら２種類の目標範囲のうちのいずれかに入っていれば、利用者の視線の方向が目標範囲内に向けられていると判定する。
【００３７】
以上のようにして視線検出部５５において行われた利用者の視線の方向の判定結果に基づいて、制御部５３は、ＬＦ電波送信部５１からのＬＦ電波の送信を制御する。まず、通常、制御部５３は、ＬＦ電波送信部５１からのＬＦ電波の送信を停止させている。
【００３８】
そして、制御部５３は、視線検出部５５により利用者の視線方向が目標範囲内にある状態が、予め定められた一定時間である視線検出保持時間の間継続して検出された場合に、ＬＦ電波送信部５１からのＬＦ電波の送信を開始させる。視線検出保持時間は、具体的に例えば、２秒程度に設定する。視線検出保持時間は設定により適宜にその値を変更できるようにしてもよい。
【００３９】
また、制御部５３は、ＬＦ電波送信部５１からのＬＦ電波の送信を開始させた後、視線検出部５５により利用者の視線方向が目標範囲内にある状態が検出されなくなってから、予め定められた一定時間であるタグ検出保持時間が経過した後に、ＬＦ電波送信部５１からのＬＦ電波の送信を停止させる。
【００４０】
言い換えれば、制御部５３は、ＬＦ電波送信部５１からのＬＦ電波の送信を開始させた後、視線検出部５５により利用者の視線方向が目標範囲内にある状態が検出されている間は、ＬＦ電波送信部５１からのＬＦ電波の送信を継続する時間を延長する。タグ検出保持時間は、具体的に例えば、５秒程度に設定する。タグ検出保持時間は設定により適宜にその値を変更できるようにしてもよい。
【００４１】
このタグリーダー５におけるＬＦ電波送信部５１からのＬＦ電波の送信制御処理の流れを、図３を参照しながら、今一度説明する。
まず、通常時においては、ＬＦ電波送信部５１からのＬＦ電波の送信は停止されている（ステップＳ１）。そして、ステップＳ２において、視線検出部５５により、カメラ撮影範囲８に入った利用者の視線方向が目標範囲内にあることが検出されると、ステップＳ３へと進む。
【００４２】
ステップＳ３においては、制御部５３は第１のタイマーによる計時を開始する。この第１のタイマーは、視線検出保持時間の経過を計るためのものである。ステップＳ３の後はステップＳ４へと進む。ステップＳ４においては、制御部５３は、視線検出部５５により利用者の視線方向が目標範囲内にあることが検出されているか否かを確認する。
【００４３】
そして、利用者の視線方向が目標範囲内にあることが検出されない場合、換言すれば、利用者の視線方向が目標範囲内にないことが検出された場合には、ステップＳ５へと進む。このステップＳ５においては、利用者の視線方向が目標範囲内にある状態が継続されなくなったため、制御部５３は第１のタイマーによる計時を停止する。なお、一度第１のタイマーによる計時を停止すると、第１のタイマーによる計時状態は初期状態にリセットされる。ステップＳ５の後は、ステップＳ２へと戻る。
【００４４】
一方、ステップＳ４において、利用者の視線方向が目標範囲内にあることが検出されている場合には、ステップＳ６へと進む。ステップＳ６においては、制御部５３は、第１のタイマーがタイムアウトしたか、すなわち、第１のタイマーによる視線検出保持時間の計時が完了したか否かを確認する。
【００４５】
第１のタイマーにより視線検出保持時間の経過が計られた場合には、ステップＳ７へと進む。一方、第１のタイマーにより計時された経過時間が、未だ視線検出保持時間に達していない場合にはステップＳ４へと戻る。なお、第１のタイマーがタイムアウトすると、第１のタイマーによる計時は停止され、その計時状態も初期状態にリセットされる。
【００４６】
ステップＳ７においては、制御部５３は、ＬＦ電波送信部５１からのＬＦ電波の送信を開始させる。ＬＦ電波の送信が開始されたことで、タグ検出範囲６内にあるスリープ状態のＩＤタグは、起動して識別情報をＲＦ電波で発信するようになる。
【００４７】
ステップＳ７の後はステップＳ８へと進む。このステップＳ８においては、制御部５３は第２のタイマーによる計時を開始する。この第２のタイマーは、タグ検出保持時間の経過を計るためのものである。ステップＳ８の後はステップＳ９へと進む。ステップＳ９においては、制御部５３は、視線検出部５５により利用者の視線方向が目標範囲内にあることが検出されているか否かを確認する。
【００４８】
そして、利用者の視線方向が目標範囲内にあることが検出されている場合には、ステップＳ１０へと進む。ステップＳ１０においては、制御部５３は、第２のタイマーによる計時状態を初期状態にリセットする。すなわち、第２のタイマーによる計時状態はステップＳ８において計時を開始した状態に戻される。ステップＳ１０の後はステップＳ１１へと進む。
【００４９】
一方、ステップＳ９において、利用者の視線方向が目標範囲内にあることが検出されない場合、換言すれば、利用者の視線方向が目標範囲内にないことが検出された場合には、ステップＳ１０を経ずにステップＳ１１へと進む。
【００５０】
ステップＳ１１においては、制御部５３は、第２のタイマーがタイムアウトしたか、すなわち、第２のタイマーによるタグ検出保持時間の計時が完了したか否かを確認する。第２のタイマーによりタグ検出保持時間の経過が計られた場合には、ステップＳ１へと戻る。一方、第２のタイマーにより計時された経過時間が、未だ視線検出保持時間に達していない場合にはステップＳ９へと戻る。第２のタイマーがタイムアウトすると、第２のタイマーによる計時は停止され、その計時状態も初期状態にリセットされる。
【００５１】
なお、ステップＳ１０からステップＳ１１へと進んだ場合、ステップＳ１０において、第２のタイマーはリセットされるため、ステップＳ１１においては、第２のタイマーがタイムアウトしていないという判断になり、ステップＳ９へと戻ることになる。
【００５２】
また、以上のフローにおいて、ＬＦ電波送信部５１からＬＦ電波が送信されるのは、ステップＳ７で送信が開始されてからステップＳ１へと戻り送信が停止されるまでの間である。この間において、タグ検出範囲６内にあるＩＤタグは、ＬＦ電波を受信してＲＦ電波を発信する。すなわち、このステップＳ７が実行されてからステップＳ１が実行されるまでの間がＩＤタグを検出する期間となる。
【００５３】
タグリーダー５は、図２に示すように、さらに、表示部５６を備えている。この表示部５６は、タグリーダー５の動作状態等を利用者に報知するためのものである。具体的には、図４に示すように、タグリーダー５の正面部には、認証成功表示ランプ５６ａ、認証失敗表示ランプ５６ｂ及び視線検出表示ランプ５６ｃが設けられている。
【００５４】
ＩＤコントローラ７において識別情報と認証情報との照合に成功し、認証成功となった場合には、ＩＤコントローラ７からタグリーダー５へと認証に成功した旨の信号が送信される。制御部５３は、認証に成功した旨の信号を受けると、表示部５６の認証成功表示ランプ５６ａを点灯させる。
【００５５】
また、ＩＤコントローラ７において識別情報と認証情報との照合に失敗し、認証失敗となった場合には、ＩＤコントローラ７からタグリーダー５へと認証に失敗した旨の信号が送信される。制御部５３は、認証に失敗した旨の信号を受けると、表示部５６の認証失敗表示ランプ５６ｂを点灯させる。
【００５６】
そして、カメラ撮影範囲８内にいる利用者の視線方向が目標範囲内にあることが視線検出部５５により検出されている場合には、制御部５３は、表示部５６の視線検出表示ランプ５６ｃを点灯させる。
【００５７】
このように、認証が成功したか否かに応じて認証成功表示ランプ５６ａ又は認証失敗表示ランプ５６ｂのいずれかを点灯させ、また、視線検出部５５による利用者の視線方向の検出状態に応じて視線検出表示ランプ５６ｃを点灯させることで、利用者はこれらのランプの点灯状態を確認することで、認証状態及び視線検出状態を知ることができる。
【００５８】
なお、表示部５６としては、以上で例に挙げたランプ（ＬＥＤ）により構成するものの他、液晶ディスプレイ等を用いて構成してもよい。また、表示部５６に代えて、あるいは、表示部５６と併せて、音声により報知するスピーカーを設け、このスピーカーからブザー音や音声メッセージ等を発することにより、認証状態及び／又は視線検出状態を利用者に報知するようにすることもできる。
【００５９】
なお、ここでは、ＬＦ電波送信部５１からのＬＦ電波の送信を開始させた後、さらに、視線検出部５５により利用者の視線方向が目標範囲内にある状態が検出されなくなってから、予め定められたタグ検出保持時間が経過した後に、ＬＦ電波送信部５１からのＬＦ電波の送信を停止させる例について説明した。
【００６０】
しかし、制御部５３は、ＬＦ電波送信部５１からのＬＦ電波の送信を開始させてから、タグ検出保持時間が経過した後に、ＬＦ電波送信部５１からのＬＦ電波の送信を停止させるようにしてもよい。すなわち、ＬＦ電波送信部５１からのＬＦ電波の送信を開始させた後、視線検出部５５により利用者の視線方向の検出状態に関係なくタグ検出保持時間の計時を行うようにしてもよい。
【００６１】
また、以上については、居室１へと入室する際の認証に関して説明した。これに対し、タグリーダー５を居室１の内側に設けた場合における、居室１からの退室時する際の認証に関しても、同様にして、タグリーダー５からのＬＦ電波の送信を制御することができる。
【００６２】
以上のように構成された読取装置であるタグリーダー５は、第１の無線信号であるＬＦ電波を受信すると自身が記憶する識別情報を第２の無線信号であるＲＦ電波で送信する情報記憶媒体（ＩＤタグ）に記憶された識別情報を読み取るものである。
【００６３】
そして、この読取装置（タグリーダー５）は、読取装置に接近する利用者を撮影する撮像部であるカメラ部５４と、撮像部により撮影された画像に基づいて、利用者の視線の方向が予め定められた目標範囲の内側に向けられていることを検出する視線検出部５５と、視線検出部により利用者の視線の方向が目標範囲の内側に向けられていることが検出された場合に、第１の無線信号（ＬＦ電波）を送信する送信部であるＬＦ電波送信部５１と、情報記憶媒体から発信された第２の無線信号（ＲＦ電波）を受信する受信部であるＲＦ電波受信部５２と、受信部により受信された第２の無線信号から識別情報を取得する制御部５３と、を備えている。
【００６４】
このため、認証を受ける意思のない利用者が所持するＩＤタグの識別情報を読み取ってしまうことを防止し、認証を受ける意思のある利用者が所持するＩＤタグの識別情報を読み取ることができる。
【００６５】
さらに、認証を受ける意思のない利用者が所持するＩＤタグの識別情報を無駄に読み取ることを防止することで、タグリーダー５からの不必要なＬＦ電波の送信を抑制するとともに、ＩＤタグからの不必要なＲＦ電波の発信を抑制することができる。このため、省電力化及びＩＤタグに内蔵された電池の長寿命化が期待できる。
【００６６】
また、ＬＦ電波送信部５１は、視線検出部５５により利用者の視線の方向が目標範囲の内側に向けられていることが検出された状態が、予め定められた視線検出保持時間以上継続した場合に、第１の無線信号（ＬＦ電波）を送信する。
【００６７】
したがって、認証を受ける意思のない利用者であっても、ごく短い時間の間、意図せずに目標範囲内に視線を向けてしまった場合には、ＬＦ電波を送信しないようにすることができる。そして、このため、より確実に、認証を受ける意思のある利用者が所持するＩＤタグの識別情報を読み取ることができる。
【００６８】
また、ＬＦ電波送信部５１は、第１の無線信号（ＬＦ電波）を送信した後、少なくとも予め定められたタグ検出保持時間以上経過してから第１の無線信号の送信を停止する。このため、ＬＦ電波を受けたＩＤタグから送信されるＲＦ電波を受信し、この受信したＲＦ電波から識別情報を取得するための十分な時間を確保することができ、ひいては識別情報の読み取りエラーを抑制することができる。
【００６９】
また、ＬＦ電波送信部５１を、第１の無線信号（ＬＦ電波）を送信した後、視線検出部５５により利用者の視線の方向が目標範囲の内側に向けられていることが検出されなくなってから、タグ検出保持時間以上経過した場合に第１の無線信号の送信を停止するようにすることで、利用者の視線の方向が目標範囲の内側に向けられていることが検出されている間はＬＦ電波の送信を延長して継続し、より確実に識別情報を取得するための十分な時間を確保することができる。
【００７０】
さらに、以上で説明した入退室管理システムは、以上のように構成された読取装置であるタグリーダー５と、読取装置の制御部５３により取得された識別情報と、予め記憶された認証情報との照合により、認証を行う認証装置であるＩＤコントローラ７と、認証装置での認証結果に基づいて、扉の施錠及び解錠を行う電気錠４と、を備えたものである。
【００７１】
このため、扉を通行する意思のない利用者が所持するＩＤタグの識別情報を読み取ってしまうことを防止し、認証を受けて扉を通行する意思のある利用者が所持するＩＤタグの識別情報を読み取ることができる。また、通行意思のある利用者を選別し、当該利用者が存在するときのみＩＤタグの認証及び扉の解錠を行うことで、意図しない扉の解錠を抑制し、セキュリティ性を向上させることができる。
【産業上の利用可能性】
【００７２】
この発明は、第１の無線信号を受信すると自身が記憶する識別情報を第２の無線信号で送信するＩＤタグ等の情報記憶媒体の、識別情報を読み取る読取装置、及び、このような読取装置を備えた入退室管理システムに利用できる。
【符号の説明】
【００７３】
１  居室、  １ａ  出入口、  ２  通路、  ３  扉、  ４  電気錠、  ５  タグリーダー、  ５１  ＬＦ電波送信部、  ５２  ＲＦ電波受信部、  ５３  制御部、  ５４  カメラ部、  ５５  視線検出部、  ５６  表示部、  ５６ａ  認証成功表示ランプ、  ５６ｂ  認証失敗表示ランプ、  ５６ｃ  視線検出表示ランプ、  ６  タグ検出範囲、  ７  ＩＤコントローラ、  ７１  認証情報記憶部、  ８  カメラ撮影範囲。
【図１】
0005896043.tif 000002
【図２】
0005896043.tif 000003
【図３】
0005896043.tif 000004
【図４】
0005896043.tif 000005